(57)【要約】【課題】  遊技盤前面に転動面を有した弾球遊技機において、遊技球が転動面を転動移動するときに遊技者の興味を引くような演出効果を発揮できるようにする。【解決手段】  パチンコ機ＰＭが、遊技盤１０の上部に打ち出された遊技球を遊技盤の前面に沿って落下移動させて入賞具入賞させる遊技を行うように構成される。遊技盤１０上に遊技球を転動移動させる転動面５０を有してなるセンター役物ＣＹが配設されており、この転動面５０が複数の発光ユニット５１を階段状に並べて構成される。これら発光ユニット５１がそれぞれ、転動面を形成する上面に設けられた圧電バイモルフ素子５３と、内部に配設されて圧電バイモルフ素子５３からの起電力により発光可能なＬＥＤ５５と、圧電バイモルフ素子５３の表面に接合されたカバー５２とから構成される。【選択図】  図５
2006055293.tif 000002
【特許請求の範囲】
【請求項１】
入賞装置が設けられた遊技盤を立設配置して構成され、前記遊技盤の上部に打ち出された遊技球を前記遊技盤の前面に沿って落下移動させて前記入賞装置へ入賞させる遊技を行うように構成された弾球遊技機において、
前記遊技盤上に遊技球を転動移動させる転動面を有してなる遊技構成部材が配設されており、
前記転動面が複数の発光ユニットを階段状に並べて構成され、
前記発光ユニットが、前記転動面を形成する外面に設けられた圧電バイモルフ素子と、内部に配設されて前記圧電バイモルフ素子からの起電力により発光可能なＬＥＤとから構成されることを特徴とする弾球遊技機。
【請求項２】
前記圧電バイモルフ素子が開口を有した平板状に形成されて前記発光ユニットの上面に配設され、前記開口を含む前記圧電バイモルフ素子の表面を覆って前記発光ユニットの上面に光透過性を有した平板状のカバーが配設され、前記ＬＥＤ素子から出射した光が前記開口および前記カバーを透過して発光するように構成されていることを特徴とする請求項１に記載の弾球遊技機。
【請求項３】
前記遊技盤の前面中央に、周囲を中央飾りにより囲まれるとともに遊技球を内部空間内に導入可能に構成されたセンター役物が設けられ、前記内部空間の下面に前記転動面が設けられていることを特徴とする請求項１もしくは２に記載の弾球遊技機。
【発明の詳細な説明】
【技術分野】
【０００１】
本発明は、遊技盤の上部に打ち出された遊技球を遊技盤の前面に沿って落下移動させ、遊技盤の前面に設けられた入賞装置へ入賞させる遊技を行うような構成の弾球遊技機に関する。
【背景技術】
【０００２】
このような弾球遊技を代表するものとしてパチンコ機が知られている。パチンコ機は、発射装置から発射された遊技球を遊技盤面上に配設したレールに沿って移動させて遊技盤の上部に打ち出し、遊技球を遊技盤前面に沿って落下移動させ、遊技盤前面の所望位置に設けられた入賞装置へ遊技球が入賞したときに、所定数の遊技球を賞球として払い出す遊技を行うように構成されている（例えば、特許文献１、特許文献２、特許文献３参照）。遊技盤の前面には、入賞具に加えて所定の配列で打ち込まれた多数の釘、風車等が設けられており、遊技球の落下移動経路を多様に変化させて遊技演出効果を持たせている。さらに、遊技盤前面の遊技領域の周囲にはレール飾り、ランプ飾りが設けられて遊技領域を設定するとともに遊技中でのランプ点灯により演出効果を高める工夫が凝らされている。
【０００３】
また、遊技盤の中央部には、周囲を中央飾りにより囲まれるとともにその内部空間内に液晶表示装置や入賞具を設けてなるセンター役物を配設することも多い。センター役物において内部空間内に入賞具を設けるときに、中央飾りの上部や左右側部に遊技球が入り込むことが可能な通路を設け、この通路を通って内部空間内に入り込んだ遊技球が内部空間の下面転動面上を転動移動して、入賞具に入賞したり、外れて外側に排出されたりするような工夫がなされている。
【０００４】
【特許文献１】特開平８−１８２８３１号公報
【特許文献２】特開２００１−３４０５７５号公報
【特許文献３】特開２０００−３３１４１号公報
【特許文献４】特開２００１−３５１４１６号公報
【発明の開示】
【発明が解決しようとする課題】
【０００５】
このように従来のパチンコ機では遊技盤前面に沿って落下移動する遊技球の移動経路に多様性を持たせたり、飾り類のランプ点灯により視覚的な演出を行わせたり、センター役物において中央飾りの内部空間の下面転動での遊技球の転動移動による演出等、遊技性を高め、遊技者が遊技をより楽しく行えるようにする種々の工夫がなされているが、さらなる演出効果を発揮できるような遊技装置構成が求められている。
【０００６】
本発明はこのような事情に鑑みたもので、遊技盤前面に遊技球を転動移動させる転動面を有した遊技構成部材が設けられる遊技機において、遊技球が転動面を転動移動するときに遊技者の興味を引くような演出効果を発揮できる構成の弾球遊技機を提供することを目的とする。
【課題を解決するための手段】
【０００７】
本発明に係る弾球遊技機は、入賞装置が設けられた遊技盤を立設配置して構成され、遊技盤の上部に打ち出された遊技球を遊技盤の前面に沿って落下移動させて入賞装置へ入賞させる遊技を行うように構成される。そして、遊技盤上に遊技球を転動移動させる転動面を有してなる遊技構成部材が配設されており、この転動面が複数の発光ユニットを階段状に並べて構成され、これら発光ユニットが、それぞれ転動面を形成する外面に設けられた圧電バイモルフ素子と、内部に配設されて圧電バイモルフ素子からの起電力により発光可能なＬＥＤとから構成される。
【０００８】
なお、圧電バイモルフ素子が開口を有した平板状に形成されて発光ユニットの上面に配設され、この開口を含む圧電バイモルフ素子の表面を覆って発光ユニットの上面に光透過性を有した平板状のカバーが配設され、ＬＥＤ素子から出射した光が開口およびカバーを透過して発光するように構成されるのが好ましい。
【０００９】
さらに、遊技盤の前面中央に、周囲を中央飾りにより囲まれるとともに遊技球を内部空間内に導入可能に構成されたセンター役物が設けられ、この内部空間の下面に転動面が設けられている構成としても良い。
【発明の効果】
【００１０】
上記構成の本発明に係る弾球遊技機によれば、転動面が発光ユニットを階段状に並べて構成されているため、遊技球がこの転動面上を転動移動するときに、階段上を弾むように落下し、各発光ユニットの外面（主として上面）に衝突しながら移動する。このため、発光ユニットにおける転動面を形成する外面に配設された圧電バイモルフ素子に遊技球が衝突し、圧電バイモルフ素子から起電力が発生し、この起電力によりＬＥＤが点灯する。この結果、遊技球の転動経路に沿った発光ユニットのＬＥＤが点灯することになり、遊技球の転動経路がＬＥＤの点灯により表示されるという演出効果を得ることができる。なお、圧電バイモルフ素子からの起電力によりＬＥＤを点灯させる原理および基本応用例については、特許文献４に開示されている。特に、この発光ユニットは、電力発生源である圧電バイモルフ素子と発光源であるＬＥＤとを一緒に有してユニット化されて構成されているため、外部からの電力供給が不要で外部配線が不要であり、発光ユニット単体で任意の位置に自由に配設することができるという利点を有する。
【００１１】
なお、この演出効果を効果的に発揮させるために、発光ユニットの上面に開口を有した平板状の圧電バイモルフ素子を設けるとともにその上に遊技球から圧電バイモルフ素子を保護する光透過性カバーを設けて発光ユニットを形成するのが好ましく、このように構成すれば、遊技球が発光ユニットの上面のカバーに衝突するとその衝突エネルギーがカバーを通って圧電バイモルフ素子に伝達されて起電力が発生してＬＥＤが点灯する。このように点灯したＬＥＤからの光は圧電バイモルフ素子の開口およびカバーを透過して発光ユニットの上面が発光する。この結果、遊技球の転動移動に応じてその経路上の発光ユニットが発光して転動経路が視覚的に表示される演出効果が得られる。このとき、カバーが圧電バイモルフ素子を覆って保護しており、圧電バイモルフ素子に遊技球が直接衝突してこれを損傷するおそれが無い。
【００１２】
また、遊技盤の前面中央にセンター役物が設けられる構成の弾球遊技機においては、センター役物の内部空間の下面に、上述の発光ユニットを階段状に並べて構成される転動面を設けることにより、遊技者のほぼ真正面に位置するセンター役物の内部に入り込んだ遊技球が転動面上を転動移動するときに、その軌跡がＬＥＤの点灯により表示されることになり、例えば、遊技球が転動面を転動して入賞装置内に入賞したときにその転動軌跡を鮮明に印象付けることができるなど、効果的な演出を行わせることができる。
【発明を実施するための最良の形態】
【００１３】
以下、図面を参照して本発明の好ましい実施形態について説明する。本発明に係る弾球遊技機の一例としてのパチンコ機ＰＭを図１及び図２に示しており、まずこれらの図を参照してパチンコ機ＰＭの全体概要構成について説明する。ここで、図１はパチンコ機ＰＭの正面図、図２はパチンコ機ＰＭの背面図である。
【００１４】
パチンコ機ＰＭは、外郭方形枠サイズに構成されて縦向きの固定保持枠をなす外枠１の開口前面に、これに合わせた方形枠サイズに構成される開閉搭載用の前枠２が互いの正面左側上下に配設されたヒンジ部材３ａ，３ｂにより横開き開閉および着脱が可能に取り付けられて構成される。この前枠２は、正面右側に設けられた施錠装置４を利用して常には外枠１と係合された閉鎖状態に保持される。
【００１５】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤正面の遊技領域ＰＡを臨ませている。
【００１６】
遊技盤１０の遊技領域ＰＡには、図示しない遊技釘が多数配設され、遊技領域ＰＡの中央部には、中央飾り枠３０、開閉入賞機構４０、液晶表示装置４５、階段状の転動面５０等を有して構成されるセンター役物ＣＹが配設される。
【００１７】
遊技領域ＰＡの下部には、通過始動口１１ａを有する始動入賞装置１１が設けられ、遊技球が通過始動口１１ａを通過すると、始動入賞装置１１内に設けられた入賞検出センサ（図示せず）に検出されて遊技盤１０の裏面側へ排出されるようになっている。この入賞検出センサによる遊技球の入賞が検出されると、所定数の遊技球が賞球として球皿６内に払い出されるとともに、所定の抽選結果に基づいて当たり、外れが判断され、液晶表示装置４５上にこれら当たり、外れに対応する演出画像が表示されて遊技者に遊技を楽しめるような演出が行われる。なお、当たり時には、下記特別遊技が行われる。
【００１８】
始動入賞装置１１の下方には、開放始動口１２ａを有する普通電動役物１２が設けられ、遊技球が開放始動口１２ａを通過すると、普通電動役物１２内に設けられた入賞検出センサ（図示せず）に検出されて遊技盤１０の裏面側へ排出されるようになっている。この入賞検出センサによる遊技球の入賞が検出されると、所定数の遊技球が賞球として球皿６内に払い出される。普通電動役物１２は、始動入賞装置１１の下方に隣接して設けられた開閉型入賞装置であり、普通電動役物１２が閉鎖状態にあるときには、入口部分が始動入賞装置１１に塞がれて遊技球は普通電動役物１２に入賞できず、普通電動役物１２が開放状態にあるときに、遊技球が普通電動役物１２に入賞できるようになっている。
【００１９】
普通電動役物１２の左方には遊技球が通過可能な普通図柄作動ゲート１３が設けられ、普通電動役物１２の下方には特別入賞口１４ａを開閉可能な特別入賞装置１４が設けられる。特別入賞装置１４は、特別遊技中に特別入賞口ソレノイド（図示せず）を用いて特別入賞口１４ａを開放し、遊技球を特別入賞口１４ａに対し通過容易にする。特別入賞口１４ａは、遊技領域ＰＡの下部に設けられた横長方形状の入賞口であり、特別入賞口１４ａが閉鎖状態にあるときには、遊技球は特別入賞口１４ａを通過することができず、特別入賞口１４ａが開放状態になったときに、遊技球が特別入賞口１４ａを通過することができる。遊技球が特別入賞口１４ａを通過すると、特別入賞装置１４内に設けられた入賞検出センサ（図示せず）に検出されて遊技盤１０の裏面側へ排出されるようになっている。この入賞検出センサによる遊技球の入賞が検出されると、所定数の遊技球が賞球として球皿６内に払い出される。
【００２０】
遊技領域ＰＡの右下部には、普通図柄作動ゲート１３での遊技球の通過を契機として行われる抽選の結果に基づいて普通図柄を変動表示する普通図柄表示装置１５が設けられる。さらに、遊技領域ＰＡの左右下部には、上方に開口した普通入賞口を有する複数の普通入賞装置１６が設けられ、遊技球が普通入賞口を通過すると、普通入賞装置１６内に設けられた入賞検出センサ（図示せず）に検出されて遊技盤１０の裏面側へ排出されるようになっている。この入賞検出センサによる遊技球の入賞が検出されると、所定数の遊技球が賞球として球皿６内に払い出される。
【００２１】
遊技領域ＰＡの下端には、各入賞装置に入賞せずに落下した遊技球を遊技盤１０の裏面側へ排出させるアウト口１７が設けられている。
【００２２】
なお、球皿６に前面側が覆われた前枠２の下部領域には遊技補助盤（図示せず）と称される補助機構部が形成されており、この遊技補助盤の各部に、打球発射装置（図示せず）や、裏セット盤２０側の賞球排出通路２５と繋がり球皿６に排出できない遊技球を一時貯留する貯留カセット（図示せず）などが設けられている。
【００２３】
前枠２の裏面側には、中央に前後連通する窓口を有して前枠２よりもやや小型の方形枠状に形成された裏セット盤２０が、前枠２の裏面に設けられた複数のレバーＬ，Ｌ…を利用して着脱可能にセット保持される。裏セット盤２０の各部には遊技球を貯留する球貯留タンク２１、タンクレール２２、整列待機通路２３、賞球払い出しカセット２４、賞球排出通路２５などの賞球装置が装備されるとともに、裏面各部に電源基板２６や主基板２７等の各種制御基板および電子部品等が取り付けられ、これらの各機器および遊技盤１０の裏面に取り付けられた液晶表示装置４５の表示制御を行うためのサブ制御基板２８が図示省略するワイヤーハーネスで接続されている。
【００２４】
次に、センター役物ＣＹについて図３〜図５を追加参照しながら説明する。ここで、図３および図４はセンター役物ＣＹの正面図および斜視図であり、図５はセンター役物ＣＹの内部空間の下面に設けられる転動面５０を示す斜視図である。
【００２５】
センター役物ＣＹは、樹脂材料を用いて射出成形等により一体的に形成された中央飾り枠３０を遊技盤１０の中央前面側に取り付けられて構成される。中央飾り枠３０は、平板状の前面板部３１と、前面板部３１の上側周囲を囲んで前方に突出した周壁部３２と、前面壁部３１の中央に矩形状に窪んだ内部空間３５を形成する上下左右面３５ａ〜３５ｄとを有し、内部空間３５の奥に液晶表示装置４５が取り付けられている。なお、液晶表示装置４５の下側に中央飾り枠３０の一部を構成する後面壁３４が一体に設けられている。また、周壁部３２の上部にはワープ導入開口３３ａ，３３ｂを形成する左右入球ガイド３２ａ，３２ｂが一体に設けられている。
【００２６】
周壁部３２の左端下端に繋がって開閉入賞機構４０が設けられており、所定の入賞条件下（例えば、普通図柄作動ゲート１３での遊技球の通過を契機として行われる抽選の結果に基づいて）で導入羽根４１が図３において二点鎖線で示すように開放され、遊技球を内部空間３５内に導入するようになっている。
【００２７】
中央飾り枠３０における内部空間３５を形成する下面３５ｄの上には、図５に詳しく示すように、多数の発光ユニット５１を図示のように扇形に広がった階段状に配設して構成される転動面５０が設けられている。この転動面５０の先に位置して、下面３５ｄに一対の入賞開口５８が設けられており、遊技球が入賞開口５８の中に入り込むことができるようになっている。この入賞開口５８内に遊技球が入ると、内部に設けられた入賞検出センサ（図示せず）に検出され、所定数の遊技球が賞球として球皿６内に払い出される。なお、下面３５ｄの前部は段差が設けられて左右から中央に向かって下るテーパ状の転動路３５ｅ形成されており、この転動路３５ｅの中央部に窪み３５ｆが形成されている。
【００２８】
一方、中央飾り枠３０の上部に形成された左ワープ導入開口３３ａの内部には第１ワープ球入口３６ａが設けられ、中央飾り枠３０の内部に遊技球が通過可能な第１ワープ通路３６が図３において波線で示すように形成されている。第１ワープ通路３６は一端が第１ワープ球入口３６ａに繋がり、他端が後面壁３４に形成されたワープ球出口開口３４ａに繋がる。このため、左ワープ導入開口３３ａ内に入り込んだ遊技球は第１ワープ球入口３６ａから第１ワープ通路３６内に導かれ、第１ワープ通路３６を通ってワープ球出口開口３４ａから転動面５０の上端部に排出される。そして、転動面５０の上を転動移動し、入賞開口５８内に入り込んだり、転動路３５ｅ上に落下したりする。
【００２９】
同様に、中央飾り枠３０の上部に形成された右ワープ導入開口３３ｂの内部には二つの第２ワープ球入口３７ａが設けられ、中央飾り枠３０の内部に遊技球が通過可能な第２ワープ通路３７が図３において波線で示すように形成されている。第２ワープ通路３７は一端が第２ワープ球入口３７ａに繋がり、他端がワープ球出口開口３４ａに繋がる。このため、右ワープ導入開口３３ｂ内に入り込んだ遊技球は第２ワープ球入口３７ａから第２ワープ通路３７内に入り込むことが可能であり、第２ワープ通路３７を通ってワープ球出口開口３４ａから転動面５０の上端部に排出される。そして、転動面５０の上を転動移動し、入賞開口５８内に入り込んだり、転動路３５ｅ上に落下したりする。
【００３０】
なお、転動路３５ｅ上に落下した遊技球は転動路３５ｅ上を転動移動して前方に落下するが、このとき転動路３５ｅの中央に形成された窪み３５ｆａから前方に落下しやすくなっており、窪み３５ｆａから前方に落下した遊技球は、その下方に位置する始動入賞装置１１の通過始動口１１ａ内に入り込み易いようになっている。
【００３１】
次に、転動面５０の構成について、図６および図７を加えて説明する。なお、図６は転動面５０を構成する要素としての発光ユニット５１の構成を示す分解斜視図であり、図７は発光ユニット５１の構成部品である圧電バイモルフ素子の構成を示す斜視図（Ａ）、圧電バイモルフ素子からの発生電流例を示すグラフ（Ｂ）および負荷抵抗に対応する発生電流および電圧特性を示すグラフ（Ｃ）である。
【００３２】
転動面５０は、中央飾り枠の内部空間３５を形成する下面３５ｄの上に直方体状の発光ユニット５１を前および左右の１８０°の範囲に広がる階段状に配設して構成される。各発光ユニット５１は、図６に示すように、上面が開口した直方体箱状のボディ５６内に、板状の圧電バイモルフ素子５３の上下面とライン５４により電気接続されたＬＥＤ（発光ダイオード）５５を、圧電バイモルフ素子５３が開口を覆うようにして配設し、さらに、圧電バイモルフ素子５３の上面に光透過性材料からなる薄い板状のカバー５２を接合して構成される。なお、圧電バイモルフ素子５３の中央に円形状に開口５３ａが形成されているとともに、この開口５３ａと対向してＬＥＤ５５が配設されている。このため、ＬＥＤ５５が発光したときにその光は開口５３ａおよびカバー５２を透過して発光ユニット５１の上面が発光する。このように発光ユニット５１は、それぞれ、電力発生源である圧電バイモルフ素子５３と発光源であるＬＥＤ５５とを一緒に有してユニット化されて構成されているため、外部からの電力供給が不要で外部配線が不要であり、発光ユニット５１単体で任意の位置に自由に配設することができる。このため、複数の発光ユニット５１を適宜組み合わせて任意に形状の転動面を形成することができるという利点を有する。
【００３３】
このような構成の発光ユニット５１が、カバー５２が接合された圧電バイモルフ素子５３が上面となるようにして、下面３５ｄの上に階段状に配設される。このとき、ワープ球出口開口３４ａの直前に位置する発光ユニット５１の上面がワープ球出口開口３４ａの底辺と揃って位置し、前方および左右に階段状に下るように各発光ユニット５１が配設される。このため、ワープ球出口開口３４ａから出た遊技球は転動面５０の上を前および左右の１８０°の範囲における任意の方向に転動移動可能となっている。
【００３４】
このようにして転動面５０の上を遊技球が転動移動するときに、階段状に配設された発光ユニット５１の上面に衝突しながら転動移動し、遊技球が発光ユニット５１の上面に衝突したときにカバー５２を介して圧電バイモルフ素子５３が変形して起電力を発生し、ＬＥＤ５５を発光させる。このＬＥＤ５５から発光した光は圧電バイモルフ素子５３の中央の開口５３ａおよびその上の光透過性カバー５２を透過して発光ユニット５１の上面を発光させる。この結果、遊技球が転動面５０の上を転動移動するときに、転動経路上に位置する発光ユニット５１の上面が発光して、遊技球の転動移動軌跡を表示するという演出が得られる。例えば、遊技球が転動面５０を転動して入賞開口５８内に入賞したときにその転動軌跡を鮮明に印象付けることができる。なお、発光ユニット５１の上面において、圧電バイモルフ素子５３はカバー５２により覆われているため、遊技球が発光ユニット５１の上面に衝突したときに、圧電バイモルフ素子５３に衝突力は伝達されるがカバー５２により保護されて圧電バイモルフ素子５３が損傷することを防止する。
【００３５】
このように遊技球が転動面５０の上を転動移動するときに上面に遊技球が衝突した圧電バイモルフ素子５３から発生する起電力について図７を参照して説明する。なお、図７に示す説明図は「日新電機株式会社のホームページ」の記載を転載したものであり、著作権は日新電機株式会社が有する。図７（Ａ）には圧電バイモルフ素子６０の上にボールＢを落下衝突させたときの起電力を測定するという実験方法を示すが、圧電バイモルフ素子６０は絶縁シート６２の上下面に圧電セラミックスシート６１をそれぞれ貼り付けて構成される。
【００３６】
図７（Ａ）に示す実験を行ったときに圧電バイモルフ素子６０からの発生電流の一例を示すのが図７（Ｂ）のグラフである。また、このとき、負荷抵抗に対する発生電流および電圧の関係が図7（Ｃ）のグラフに示されている。このように板状の圧電バイモルフ素子６０にボールＢが衝突したときに上下の圧電セラミックシート６１の間で起電力が発生することが分かる。ここで本発明の転動面５０を構成する発光ユニット５１においては、圧電バイモルフ素子５３は図７（Ａ）と同一構成であり、上下にライン５４を介してＬＥＤ５５が電気接続されているため、転動面５０の上を遊技球が転動移動するときに、移動経路上に位置する発光ユニット５１の上面に遊技球が衝突すると圧電バイモルフ素子５３から起電力が発生してＬＥＤ５５を発光させる。
【００３７】
以上においては、中央飾り枠の内部空間３５を形成する下面３５ｄの上に直方体状の発光ユニット５１を前および左右の１８０°の範囲に広がる階段状に配設して転動面５０を構成した例を示したが、本発明の転動面はこのような形態に限られるものではないことは無論であり、遊技球が転動移動する種々の形態の面として適用できる。例えば、遊技球が転動移動する通路（例えば、下面３５ｄの前部に設けられた左右から中央に向かって下るテーパ状の転動路３６）に、階段状に発光ユニット５１を配設して転動面を構成するようにしても良い。
【００３８】
以上説明した本発明の実施形態において、達成される主要な効果を整理すれば、下記のようになる。
【００３９】
まず、発光ユニット５１において、圧電バイモルフ素子５３の中央に円形状に開口５３ａが形成されているとともに、この開口５３ａと対向してＬＥＤ５５が配設されているので、ＬＥＤ５５が発光したときにその光は開口５３ａおよびカバー５２を透過して発光ユニット５１の上面が発光するという効果が得られる。さらに発光ユニット５１は、それぞれ、電力発生源である圧電バイモルフ素子５３と発光源であるＬＥＤ５５とを一緒に有してユニット化されて構成されているため、外部からの電力供給が不要で外部配線が不要であり、発光ユニット５１単体で任意の位置に自由に配設することができる。このため、複数の発光ユニット５１を適宜組み合わせて任意に形状の転動面を形成することができるという利点を有する。
【００４０】
次に、転動面５０の上を遊技球が転動移動するときに、移動経路上に位置する発光ユニット５１の上面に遊技球が衝突すると圧電バイモルフ素子５３から起電力が発生してＬＥＤ５５を発光させ、このＬＥＤ５５から発光した光は圧電バイモルフ素子５３の中央の開口５３ａおよびその上の光透過性カバー５２を透過して発光ユニット５１の上面を発光させるので、遊技球が転動面５０の上を転動移動するときに、転動経路上に位置する発光ユニット５１の上面が発光して、遊技球の転動移動軌跡を鮮明に印象付けるように表示するという効果的な演出が得られる。
【００４１】
さらに、発光ユニット５１の上面において、圧電バイモルフ素子５３はカバー５２により覆われているため、遊技球が発光ユニット５１の上面に衝突したときに、圧電バイモルフ素子５３に衝突力は伝達されるがカバー５２により保護されて圧電バイモルフ素子５３が損傷することを防止することができる。
【図面の簡単な説明】
【００４２】
【図１】本発明に係る弾球遊技機の一例としてのパチンコ機を示す正面図である。
【図２】上記パチンコ機の背面図である。
【図３】上記パチンコ機の遊技盤に装着されるセンター役物を示す正面図である。
【図４】上記センター役物の斜視図ある。
【図５】上記センター役物の内部空間下面に設けられる転動面およびその周囲構造を部分的に示す斜視図である。
【図６】上記転動面を構成する発光ユニットを構成部品に分解して示す斜視図である。
【図７】上記発光ユニットを構成する圧電バイモルフ素子の特性実験方法を示す斜視図（Ａ）、この実験により圧電バイモルフ素子から発生する電流特性を示すグラフ（Ｂ）および負荷抵抗に対する発生電流および電圧特性を示すグラフ（Ｃ）である。
【符号の説明】
【００４３】
ＰＭ  パチンコ機                  ＰＡ  遊技領域
ＣＹ  センター役物
２  前枠                          ５  ガラス扉
６  球皿                          １０  遊技盤
３０  中央飾り枠
３１  前面板部
３２  周壁部                      ３２ａ，３２ｂ  左右入球ガイド
３３ａ，３３ｂ  ワープ導入開口
３４  後面壁                      ３４ａ  ワープ球出口開口
３５  内部空間
３５ａ〜３５ｄ  上下左右面
３６  第１ワープ通路              ３６ａ  第１ワープ球入口
３７  第２ワープ通路              ３７ａ  第２ワープ球入口
４０  開閉入賞機構
４５  液晶表示装置
５０  転動面
５１  発光ユニット
５２  カバー
５３  圧電バイモルフ素子          ５３ａ  開口
５４  ライン
５５  ＬＥＤ
５６  ボディ
【図１】
2006055293.tif 000003
【図２】
2006055293.tif 000004
【図３】
2006055293.tif 000005
【図４】
2006055293.tif 000006
【図５】
2006055293.tif 000007
【図６】
2006055293.tif 000008
【図７】
2006055293.tif 000009